(57)【特許請求の範囲】
【請求項１】
液晶モジュールと、液晶モジュールに貼り合せ対象となるワークのいずれかに対して、温度に応じて粘度が変化する接着剤を供給する接着剤供給装置において、
液晶モジュールあるいは貼り合せ対象となるワークに対して接着剤を供給する接着剤供給部と、
前記接着剤供給部による接着剤の供給前、供給時及び供給後の少なくともいずれかにおいて、接着剤を加温する第１の加温部と、
液晶モジュールあるいは貼り合せ対象となるワークに供給され展延した後の接着剤を、貼り合わせ前に冷却する冷却部と、を有し、
前記冷却部は、液晶モジュールあるいは貼り合せ対象となるワークにおける接着剤の周辺部のみを冷却すること、
を特徴とする接着剤供給装置。
【請求項２】
液晶モジュールと、液晶モジュールに貼り合せ対象となるワークのいずれかに対して、温度に応じて粘度が変化する接着剤を供給する接着剤供給装置において、
液晶モジュールあるいは貼り合せ対象となるワークに対して接着剤を供給する接着剤供給部と、
液晶モジュールあるいは貼り合せ対象となるワークを支持し、前記接着剤供給部により供給された接着剤を加温する第１の加温部と、
液晶モジュールあるいは貼り合せ対象となるワークに供給され展延した後の接着剤を、貼り合わせ前に冷却する冷却部と、を有し、
前記第１の加温部は、液晶モジュールあるいは貼り合せ対象となるワークにおける接着剤の塗布領域の中央部のみを加温すること、
を特徴とする接着剤供給装置。
【請求項３】
前記冷却部による冷却後、貼り合せ直前の接着剤を加温する第２の加温部を有することを特徴とする請求項１又は２記載の接着剤供給装置。
【請求項４】
前記第２の加温部は、液晶モジュールあるいは貼り合せ対象となるワークにおける接着剤の一部のみを加温することを特徴とする請求項３記載の接着剤供給装置。
【請求項５】
液晶モジュールと、液晶モジュールに貼り合せ対象となるワークのいずれかに対して、温度に応じて粘度が変化する接着剤を供給する接着剤供給装置において、
液晶モジュールあるいは貼り合せ対象となるワークに対して接着剤を供給する接着剤供給部と、
前記接着剤供給部による接着剤の供給前、供給時及び供給後の少なくともいずれかにおいて、接着剤を加温する第１の加温部と、
液晶モジュールあるいは貼り合せ対象となるワークに供給され展延した後の接着剤を、貼り合わせ前に冷却する冷却部と、
前記冷却部による冷却後、貼り合せ直前の液晶モジュールあるいは貼り合せ対象となるワークにおける接着剤の中央部を加温する第２の加温部と、
を有することを特徴とする接着剤供給装置。
【請求項６】
前記第１の加温部は、液晶モジュールあるいは貼り合せ対象となるワークにおける接着剤の一部のみを加温することを特徴とする請求項２又は５記載の接着剤供給装置。
【請求項７】
前記冷却部は、液晶モジュールあるいは貼り合せ対象となるワークにおける接着剤の一部のみを冷却することを特徴とする請求項１又は５記載の接着剤供給装置。
【請求項８】
液晶モジュールと、液晶モジュールに貼り合せ対象となるワークのいずれかに対して温度に応じて粘度が変化する接着剤を供給する接着剤供給方法において、
液晶モジュールあるいは貼り合せ対象となるワークに対する接着剤の供給前、供給中及び供給後の少なくともいずれかで、接着剤を加温し、
液晶モジュールあるいは貼り合せ対象となるワークに供給され展延した後の接着剤を、液晶モジュールあるいは貼り合せ対象となるワークにおける接着剤の周辺部のみ、貼り合わせ前に冷却することを特徴とする接着剤供給方法。
【請求項９】
冷却された接着剤を、貼り合せ直前に加温することを特徴とする請求項８記載の接着剤供給方法。
【請求項１０】
液晶モジュールあるいは貼り合せ対象となるワークにおける接着剤の一部のみを、貼り合せ直前に加温することを特徴とする請求項９記載の接着剤供給方法。
【発明の詳細な説明】
【技術分野】
【０００１】
本発明は、たとえば、貼り合せられるワークに接着剤を供給する技術に改良を施した接着剤供給装置及び接着剤供給方法に関する。
【背景技術】
【０００２】
一般的に、液晶ディスプレイは、液晶モジュール、操作用のタッチパネル、表面を保護する保護パネル等を積層することにより構成されている。これらの液晶モジュール、タッチパネル、保護パネル等（以下、ワークと呼ぶ）は、液晶パネルの筐体に組み込まれる。
【０００３】
このように積層される各ワークの間に空気の層が入ると、外光反射により、液晶の表示面の視認性が低下する。これに対処するため、各ワークを貼り合せる際に、接着剤によって各ワークの間を埋めることにより、接着層を形成することが行われている。
【０００４】
このため、液晶ディスプレイの製造には、少なくとも一方のワークに対して接着剤を付着させる接着剤供給装置が必要となる。たとえば、基板に接着剤を塗布する技術として、特許文献１に示すものが提案されている。これは、スリットコート式の塗布装置である。
【先行技術文献】
【特許文献】
【０００５】
【特許文献１】特開２０００−５６８２号公報
【発明の概要】
【発明が解決しようとする課題】
【０００６】
ところで、液晶の表示面の視認性を均一にするためには、接着層は、厚み等が均一に形成されていることが望ましい。このため、従来技術においては、接着剤を塗布する器具、接着剤を塗布する態様等を工夫することにより、均一な塗布を実現しようとしている。
【０００７】
しかし、接着剤は、たとえ均一に塗布できたとしても、その後、貼り合せ前に流動して、ワークからはみ出す可能性がある。これに対処するため、粘度の高い接着剤を用いて、流動を抑制する方法も考えられる。ただし、接着剤の粘度が高いと、逆に、塗布時に均一に広がり難いという問題が生じる。
【０００８】
本発明は、上記のような従来技術の問題点を解決するために提案されたものであり、その目的は、ワークへの接着剤の均一な供給を実現しつつ、ワークからの流出を防止できる接着剤供給装置及び接着剤供給方法を提供することにある。
【課題を解決するための手段】
【０００９】
上記の目的を達成するため、液晶モジュールと、液晶モジュールに貼り合せ対象となるワークのいずれかに対して、温度に応じて粘度が変化する接着剤を供給する接着剤供給装置において、液晶モジュールあるいは貼り合せ対象となるワークに対して接着剤を供給する接着剤供給部と、前記接着剤供給部による接着剤の供給前、供給時及び供給後の少なくともいずれかにおいて、接着剤を加温する第１の加温部と、液晶モジュールあるいは貼り合せ対象となるワークに供給され展延した後の接着剤を、貼り合わせ前に冷却する冷却部と、を有し、前記冷却部は、液晶モジュールあるいは貼り合せ対象となるワークにおける接着剤の周辺部のみを冷却することを特徴とする。
【００１０】
以上のような発明では、接着剤が、ワークへの供給前、供給中若しくは供給後に加温されるので、接着剤の粘度が低下して、ワーク上での広がりが促進される。次に、接着剤が冷却されることにより、粘度が高まり、ワークからの流出が抑制され、はみ出しが防止される。
【００１１】
他の態様は、前記冷却部による冷却後、貼り合せ直前の接着剤を加温する第２の加温部を有することを特徴とする。
以上のような態様では、冷却後、貼り合せ前の接着剤が加温されることにより、粘度が低下して、貼り合せ時の均一な広がりが可能となる。また、加温により、接着剤のクッション性の維持、粘着性の戻りによる接着ぬれ性の向上を図ることができる。
【００１２】
他の態様は、ワークを支持する支持部を有し、前記支持部は、前記第１の加温部、前記冷却部の少なくとも一つであることを特徴とする。
他の態様は、ワークを支持する支持部を有し、前記支持部は、前記第２の加温部であることを特徴とする。
以上のような態様では、支持部によってワークを加温若しくは冷却することにより、接着剤の加温若しくは冷却を実現できる。
【００１３】
他の態様は、前記第１の加温部は、ワークにおける接着剤の一部のみを加温することを特徴とする。
他の態様は、前記冷却部は、ワークにおける接着剤の一部のみを冷却することを特徴とする。
他の態様は、前記第２の加温部は、ワークにおける接着剤の一部のみを加温することを特徴とする。
以上のような態様では、ワークの一部のみを加温若しくは冷却とすることにより、流動の抑制とともに、クッション性の維持、粘着性の戻りによる接着ぬれ性の向上を図ることができる。
【００１４】
他の態様は、前記第１の加温部は、加温室を有することを特徴とする。
他の態様は、前記冷却部は、冷却室を有することを特徴とする。
他の態様は、前記第２の加温部は、加温室を有することを特徴とする。
以上のような態様では、加温室若しくは冷却室を、ワークが通過することにより、ワーク上の接着剤が加温若しくは冷却される。
【００１５】
他の態様は、前記第１の加温部は、接着剤に温風を吹き付ける吹付部を有することを特徴とする。
以上のような態様では、温風の吹き付けにより接着剤の展延を促すことができる。
【００１６】
他の態様は、前記冷却部は、接着剤に冷風を吹き付ける吹付部を有することを特徴とする。
以上のような態様では、冷風の吹き付けにより、接着剤の流動を抑制して厚みや形状の維持を図ることができる。
【００１７】
他の態様は、前記第２の加温部は、接着剤に温風を吹き付ける吹付部を有することを特徴とする。
以上のような態様では、温風の吹き付けにより接着剤の粘度を低下させつつ、厚みや形状の維持を図ることができる。
【００１８】
なお、上記の各発明は、接着剤供給方法の発明としても捉えることができる。
【発明の効果】
【００１９】
以上、説明したように、本発明によれば、ワークへの接着剤の均一な供給を実現しつつ、ワークからの流出を防止できる接着剤供給装置及び接着剤供給方法を提供することができる。
【図面の簡単な説明】
【００２０】
【図１】本発明の一実施形態の全体構成を示す説明図であり、（Ａ）は接着剤供給部、（Ｂ）は冷却部である。
【図２】図１の実施形態におけるワーク及び接着剤を示す説明図であり、（Ａ）は供給時、（Ｂ）は展延時である。
【図３】図１の実施形態における貼合部の一例を示す説明図であり、（Ａ）は真空引き時、（Ｂ）は貼り合わせ時である。
【図４】第２の加温部を追加した実施形態を示す説明図であり、（Ａ）は接着剤供給部、（Ｂ）は冷却部、（Ｃ）は加温部である。
【図５】図１の実施形態における加温室及び冷却室の配置例を示す説明図（Ａ）〜（Ｅ）である。
【図６】吹付部を用いた加温の一例を示す説明図であり、（Ａ）は吹付時、（Ｂ）は展延時である。
【図７】吹付部を用いた冷却の一例を示す説明図であり、（Ａ）は吹付部単数、（Ｂ）は吹付部複数の例である。
【発明を実施するための形態】
【００２１】
本発明の実施の形態（以下、実施形態と呼ぶ）について、図面を参照して具体的に説明する。
［Ａ．構成］
まず、本実施形態の接着剤供給装置（以下、本装置と呼ぶ）の構成を説明する。本装置は、図１に示すように、接着剤供給部（第１の加温部）１、冷却部２等を有している。貼り合わせの対象となるワークＳ１、Ｓ２は、これらの接着剤供給部１、冷却部２の間を、搬送部４によって移動可能に設けられている。
【００２２】
接着剤供給部１は、ワークＳ１に対して、接着剤Ｒを供給する供給装置１０を有している。供給装置１０は、たとえば、図示しないタンクに収容された接着剤Ｒを、配管を介してワークＳ１に滴下するノズルを備えている。また、供給装置１０は、たとえば、ノズルを走査する走査装置（図示せず）を備えている。
【００２３】
そして、ワークＳ１を載置した載置部１１は、熱電素子により構成されている。熱電素子としては、たとえば、ペルチェ素子が考えられるが、加温、冷却可能な素子であればよい。接着剤供給部１におけるワークＳ１は、載置部１１によって加温される。このため、ワークＳ１に供給される接着剤Ｒも加温される。
【００２４】
冷却部２は、載置部１１によって、ワークＳ１を冷却することにより、ワークＳ１に供給された接着剤Ｒを冷却する構成部である。
【００２５】
搬送部４は、ワークＳ１を、接着剤供給部１から冷却部２へと搬送する搬送装置４０を有している。搬送装置４０としては、たとえば、ターンテーブル、コンベア等及びその駆動機構が考えられる。ただし、上記各部の間でワークを搬送可能な装置であれば、どのような装置であってもよい。この搬送装置４０は、上記の載置部１１に載置した状態で、ワークＳ１を搬送する。
【００２６】
なお、冷却部２の後には、図３に示すように、貼合部５を設けることが考えられる。加温部３から貼合部５へのワークＳ１の搬送は、たとえば、上記の搬送装置４０によって行う。この貼合部５は、ワークＳ１の接着剤Ｒに対して、ワークＳ２を貼り合わせる貼合装置５０を有している。貼合装置５０は、たとえば、真空チャンバ５１、押圧装置５２等を有している。
【００２７】
真空チャンバ５１は、貼り合わされるワークＳ１、Ｓ２の周囲を覆い、搬送部４との間を密閉することにより、真空室を構成するチャンバである。真空チャンバ５１には、真空源（減圧装置）である減圧ポンプ（図示せず）が、配管を介して接続されている。また、真空チャンバ５１は、図示しない昇降機構によって、昇降可能に設けられている。
【００２８】
押圧装置５２は、ワークＳ２を押圧することにより、ワークＳ１に対してワークＳ２を貼り付ける装置である。この押圧装置５２は、たとえば、ワークＳ２を保持する保持部、保持部を昇降させる昇降機構などにより構成されている。
【００２９】
［Ｂ．作用］
以上のような構成を有する本実施形態の作用を、図１〜３を参照して説明する。
【００３０】
まず、図１に示すように、搬送装置４０は、前工程から載置部１１に載置されたワークＳ１を、接着剤供給部１に搬送する。この載置部１１は、あらかじめ加温されている。接着剤供給部１においては、図１（Ａ）に示すように、供給装置１０が、ワークＳ１に対して接着剤Ｒを供給する。
【００３１】
たとえば、ノズルからワークＳ１に接着剤Ｒを滴下する。このノズルを、走査装置によって走査することによって、ワークＳ１の広範な領域に接着剤Ｒを塗布することができる。たとえば、図２（Ａ）に示すように、連続した曲線状としてもよいが、その他、屈曲線状に滴下しても、独立した複数の線状に滴下しても、散点的に滴下してもよく、その態様は自由である。
【００３２】
このようにワークＳ１に供給された接着剤Ｒは、あらかじめ加温された載置部１１によってワークＳ１が加温されているので、ワークＳ１に接触するとともに加温され、粘度が低下する。このため、接着剤Ｒが流動しやすくなり、図２（Ｂ）に示すように、ワークＳ１の面上に広がる（展延する）。
【００３３】
次に、搬送装置４０は、接着剤Ｒが供給されたワークＳ１を、冷却部２に搬送する。冷却部２においては、図１（Ｂ）に示すように、載置部１１が、ワークＳ１を冷却する。これにより、ワークＳ１の接着剤Ｒも冷却され、粘度が高くなる。このため、接着剤Ｒが流動し難くなり、ワークＳ１から流出することが防止される。その後、搬送装置４０は、ワークＳ１を貼合部５に搬送する。
【００３４】
貼合部５においては、図３（Ａ）に示すように、押圧装置５２にワークＳ２を保持した真空チャンバ５１が下降して、ワークＳ１、Ｓ２の周囲が密閉される。そして、減圧ポンプが作動することにより、真空チャンバ５１内が減圧される。
【００３５】
真空引き完了後は、図３（Ｂ）に示すように、押圧装置５２が下降することにより、ワークＳ１に対して、ワークＳ２が押し付けられる。このとき、上記のように接着剤Ｒは冷却され、粘度が高まっているので、ワークＳ１、Ｓ２からの流出によるはみ出しが防止される。
【００３６】
その後、排気路の開放等により真空破壊が行われ、真空チャンバ５１が上昇することにより、貼り合わされたワークＳ１、Ｓ２は大気開放される。さらに、搬送装置４０が、ワークＳ１、Ｓ２を貼合部５から次工程へと搬出する。たとえば、搬送装置４０は、ワークＳ１、Ｓ２を、電磁波の照射により接着剤Ｒを硬化させる硬化部へと移動させる。
【００３７】
［Ｃ．効果］
以上のような本実施形態によれば、次のような効果が得られる。すなわち、接着剤Ｒの供給時の加温、その後の冷却という過程を経ることにより、接着剤Ｒの均一な広がりを実現しつつ、ワークＳ１からの流出によるはみ出しを防止できる。また、貼り合わせ時に、接着剤Ｒの粘度が高まっているので、押圧によっても厚みや形状が維持されやすく、厚みの均一化が図りやすい。このため、貼り合せ製品の品質を向上させ、歩留まりを向上させることができる。
【００３８】
また、接着剤Ｒの加温と冷却を、ワークＳ１を載置した載置部１１によって行うので、簡素な構成で、安価に製造できる。
【００３９】
［Ｄ．他の実施形態］
本発明は、上記のような実施形態に限定されるものではない。たとえば、上記の実施形態では、第１の加温部と冷却部を別に設けていた。しかし、第１の加温部と冷却部とを共通化して、共通の場所で行うように構成してもよい。たとえば、上記の実施形態における接着剤供給部１において、加温後の接着剤Ｒを冷却してもよい。これは、たとえば、ワークＳ１を加温していた載置部１１を冷却に切替えることによって実現できるが、これに限定されず、後述する加温、冷却態様も適用可能である。
【００４０】
このように接着剤が冷却されたワークＳ１は、たとえば、搬送装置４０によって貼合部５に搬送される。この搬送中には、上記のように接着剤Ｒは冷却されているので、搬送の影響を受けて、塗布厚・形状が維持され、流出によるはみ出しが防止される。
【００４１】
また、図４に示すように、接着剤供給部１（図４（Ａ））及び冷却部２（図４（Ｂ））の後、貼合部５の手前に、第２の加温部として加温部３を設けてもよい（図４（Ｃ））。この加温部３は、載置部１１によって、貼り合せ前のワークＳ１を加温することにより、ワークＳ１に供給された接着剤Ｒを加温する。
【００４２】
この態様では、ワークＳ１は、接着剤供給部１において接着剤Ｒが供給されるとともに加温され（図４（Ａ））、冷却部２において冷却される（図４（Ｂ））。その後、ワークＳ１は、搬送装置４０によって加温部３に搬送される。
【００４３】
加温部３においては、ワークＳ１とともに接着剤Ｒが加温されることにより、接着剤Ｒの粘度が低下する。この状態で、搬送装置４０は、ワークＳ１を貼合部５に搬送する。貼合部５においては、ワークＳ１へのワークＳ２の貼り合せが行われる。この時には、加温により接着剤Ｒの粘度が低下しているので、均一な広がりの促進や気泡の巻き込み防止が実現できる。
【００４４】
また、貼り合わせの直前に加温を行うことにより、粘度を低下させて、貼り合わせ時の均一な広がりの促進や気泡の巻き込み防止を図ってもよい。これは、たとえば、貼合部５において、載置部１１がワークＳ１を加温すること（第２の加温部）によって実現できるが、これに限定されず、後述する加温態様も適用可能である。この場合も、冷却部２からの搬送中には、接着剤は冷却されており、第２の加温部による加温後は搬送を行わずにそのまま貼り合わせることができるので、搬送時に塗布厚・形状が維持され、流出によるはみ出しが防止される。
【００４５】
これは、いわば貼合部と第２の加温部とを共通化して、共通の場所で行うように構成したものである。さらに、この態様と、上記の第１の加温部（接着剤供給部と共通化させたものも含む）と冷却部とを共通化した態様とを組み合わせることにより、搬送時には必ず接着剤が冷却されているようにして、加温された状態での搬送を排除できる。これにより、搬送時における塗布厚・形状の維持、流出によるはみ出しの防止を、より確実に実現することができる。
【００４６】
また、第１の加温部、冷却部、第２の加温部としては、搬送装置による搬送経路において、接着剤の周囲を加温若しくは冷却する加温室、冷却室を用いることが考えられる。なお、以下の例で、第２の加温部である加温部３を省略することも可能である。
【００４７】
まず、図５（Ａ）は、冷却部２に冷却室２２を設けた例である。この例は、以下の手順を経る。
(1) 載置部１１によって加温したワークＳ１に対して、接着剤供給部１において接着剤Ｒを供給することにより、接着剤Ｒを加温する。
(2) 冷却室２２である冷却部２において、ワークＳ１が通過することにより、接着剤Ｒが冷却される。
(3) 加温部３において、載置部１１によってワークＳ１とともに接着剤Ｒが加温される。
【００４８】
図５（Ｂ）は、接着剤供給部１、加温部３に加温室１２、３２を設けた例である。この例は、以下の手順を経る。
(1) 加温室１２である接着剤供給部１において、接着剤Ｒを加温しながら供給する。
(2) 冷却部２において、載置部１１によってワークＳ１とともに接着剤Ｒを冷却する。
(3) 加温室３２である加温部３において、ワークＳ１が通過することにより、接着剤Ｒを加温する。
【００４９】
図５（Ｃ）は、接着剤供給部１、加温部３に加温室１２、３２を設け、冷却部２に冷却室２２を設けた例である。この例では、以下の手順を経る。
(1) 加温室１２である接着剤供給部１において、接着剤Ｒを加温しながら供給する。
(2) 冷却室２２である冷却部２において、ワークＳ１が通過することにより、接着剤Ｒを冷却する。
(3) 加温室３２である加温部３において、ワークＳ１が通過することにより、接着剤Ｒを加温する。
【００５０】
図５（Ｄ）は、接着剤供給部１に加温室１２を設けた例である。この例では、以下の手順を経る。
(1) 加温室１２である接着剤供給部１において、接着剤Ｒを加温しながら供給する。
(2) 冷却部２において、載置部１１によってワークＳ１とともに接着剤Ｒを冷却する。
(3) 加温部３において、載置部１１によってワークＳ１とともに接着剤Ｒを加温する。
【００５１】
図５（Ｅ）は、加温部３に加温室３２を設けた例である。この例では、以下の手順を経る。
(1) 載置部１１によって加温したワークＳ１に対して、接着剤供給部１において接着剤Ｒを供給することにより、接着剤Ｒを加温する。
(2) 冷却部２において、載置部１１によってワークＳ１とともに接着剤Ｒを冷却する。
(3) 加温室３２である加温部３において、ワークＳ１が通過することにより、接着剤Ｒを加温する。
【００５２】
かかる図５に示した例によれば、加温室１２、冷却室２２、加温室３２において、加温、冷却を行う場合に、接着剤Ｒの表面から加温、冷却することができる。このため、加温と冷却との相互の切り換えを素早く行うことができる。なお、図５に示した例において、加温室１２、３２、冷却室２２を通過する際に、載置部１１による加温若しくは冷却を、付加的に行うか否かは自由である。
【００５３】
また、加温室における加温、冷却室における冷却をどのような装置によって行うかも自由である。たとえば、オーブンや冷蔵庫のように室内の比較的広い範囲の温度を変えるものも適用可能である。また、ドライヤー、冷風機のように、室内の比較的狭い範囲の温度を変えるものも適用可能である。
【００５４】
また、第１の加温部による接着剤の加温は、少なくともワークへの供給前、供給時、供給後（冷却及び貼合前）になされればよい。このため、たとえば、タンクや供給経路等、接着剤の通過する箇所のいずれかに、加温装置を設け、供給前にあらかじめ加温しておくことにより、接着剤を展延しやすくしてもい。また、たとえば、ワークへ接着剤を供給した後、載置部による加温若しくは加温室の通過等、第１の加温部によって、接着剤を加温することにより、接着剤を展延しやすくしてもよい。
【００５５】
また、接着剤の加温、冷却は、接着剤の塗布領域の全体であっても、その一部であってもよい。たとえば、接着剤の塗布領域の中央部分のみを加温することにより若しくは周辺部のみを冷却することにより、周辺部は低温として流動を抑制することができる（土手部のような機能を果たす）。また、中央部は均一な厚さとしたり、クッション性の維持、粘着性の戻りによる接着ぬれ性の向上を図ることができる。これは、上記の第１の加温部、冷却部、第２の加温部のいずれに適用してもよい。部分的な加温、冷却は、たとえば、熱電素子を部分的に配置する、後述する吹付部を利用する、赤外線を照射する等の種々の方法が考えられる。
【００５６】
さらに、第１の加温部、冷却部、第２の加温部のいずれかにおいて、温風若しくは冷風を吹き付ける吹付部を設けることも可能である。この場合、たとえば、図６（Ａ）に示すように、吹付部６により温風を吹付けることにより、図６（Ｂ）に示すように、展延を促すことも可能である。また、たとえば、図７（Ａ）に示すように、吹付部６により、接着剤Ｒの周囲に冷風を吹付けることにより、接着剤Ｒの形状位置を図ってもよい。吹付部６は、たとえば、図７（Ｂ）に示すように、複数あってもよい。
【００５７】
また、ワークへの接着剤の供給、ワークの真空貼り合せ、ワークの搬送についても、現在又は将来において利用可能なあらゆる方法、装置が適用可能である。たとえば、接着剤の供給装置は、ローラによって塗布する装置、スキージによって塗布する装置、スピン塗布する装置等、どのような装置であってもよい。
【００５８】
搬送装置も、たとえば、ターンテーブル、コンベア、送り機構等、どのような構造であってもよい。載置部は、たとえば、サセプタ等が考えられるが、ワークを支持できる支持部として機能するものであれば、どのような材質、形状であってもよい。水平方向に支持するものには限らない。支持部が、別の箇所に設けられた加温装置若しくは冷却装置によって、あらかじめ加温若しくは冷却されていて、搬送装置によって搬入された時に、ワークが載置されることにより、加温若しくは冷却されるようにしてもよい。
【００５９】
ワークの搬送方法も、載置部に載置される場合には限定されない。移動する台上に、ワークが直接載置されていて、この台を支持部とすることも可能である。この支持部が、加温・冷却装置によって、第１の加温部において加温、冷却部において冷却、第２の加温部において加温される構成としてもよい。
【００６０】
貼合部は、少なくとも一対のワークを貼り合わせることができる構成であれば、どのような装置であってもよい。必ずしも真空貼り合わせを行う装置には限定されない。ワークを保持する構造も、たとえば、メカチャック、静電チャック、真空チャック、粘着チャック等、どのような構造であってもよい。真空貼り合わせを行う場合、真空室は、真空とすることが可能な空間を構成するものであればよい。下側の部材が昇降して密閉、開放を行う構造でも、ワークの通路のみが開閉する構造でもよい。
【００６１】
さらに、上記の作業の一部を手動により行う方法も考えられる。たとえば、ワークへの接着剤の供給を、作業者が、塗布、滴下等のための用具を用いて行うこともできる。使用する接着剤についても、電磁波の照射により硬化する樹脂が一般的であるが、加温、冷却により粘度が変わるものであればよく、現在又は将来において利用可能なあらゆる接着剤に適用可能である。
【００６２】
また、貼り合せ対象となるワークは、カバーパネルと液晶モジュール若しくは液晶モジュールを構成する表示パネルとバックライト等が、典型例である。しかし、本発明の適用対象となる一対のワークは、一対の貼着対象となり得るものであれば、その大きさ、形状、材質等は問わない。たとえば、半導体ウェーハ、光ディスク等にも適用可能である。
【符号の説明】
【００６３】
１…接着剤供給部
２…冷却部
３…加温部
４…搬送部
５…貼合部
６…吹付部
１０…供給装置
１１…載置部
１２，３２…加温室
２２…冷却室
４０…搬送装置
５０…貼合装置
５１…真空チャンバ
５２…押圧装置
【図１】
0005788655.tif 000002
【図２】
0005788655.tif 000003
【図３】
0005788655.tif 000004
【図４】
0005788655.tif 000005
【図５】
0005788655.tif 000006
【図６】
0005788655.tif 000007
【図７】
0005788655.tif 000008